(57)【特許請求の範囲】
【請求項１】
画像を表示する表示部と、
前記表示部に積層して配置されたタッチパネルと、
前記タッチパネルを用いた操作を検出する検出部と、
前記検出部により所定の操作が検出された場合に、前記画像が指定された旨及び前記画像に対して適用可能な機能を示すアイコンを前記表示部に表示させる表示制御部と、を備え、
前記表示制御部は、前記検出部により前記所定の操作が検出された場合、前記所定の操作が検出された領域に基づいて前記画像を所定のサイズに縮小して表示させると共に、前記所定の操作が検出された領域に基づいて前記アイコンを表示させ、前記アイコンの選択操作が行われると、前記画像に対して選択されたアイコンが示す機能を適用した場合のシミュレーション画像を、縮小された前記画像が表示されていない領域に表示させることを特徴とする表示装置。
【請求項２】
前記表示制御部は、前記画像を前記所定のサイズまで徐々に縮小させることを特徴とする請求項１記載の表示装置。
【請求項３】
前記表示制御部は、前記検出部により前記所定の操作が検出された場合に、指定された前記画像が表示された領域以外の領域に前記アイコンを表示させることを特徴とする請求項１記載の表示装置。
【請求項４】
前記表示制御部は、指定された前記画像の種類に応じた前記アイコンを表示させることを特徴とする請求項１〜３の何れか一項に記載の表示装置。
【請求項５】
前記検出部は、指定された前記画像の前記アイコンに対するドラッグ操作を、前記アイコンの選択操作として検出することを特徴とする請求項１〜４の何れか一項に記載の表示装置。
【請求項６】
前記検出部は、前記アイコンに対するタッチ操作を、前記アイコンの選択操作として検出することを特徴とする請求項１〜５の何れか一項に記載の表示装置。
【請求項７】
前記表示制御部は、前記アイコンが選択された旨を表示させることを特徴とする請求項５または６記載の表示装置。
【請求項８】
前記所定の操作は、長押し操作であることを特徴とする請求項１〜７の何れか一項に記載の表示装置。
【発明の詳細な説明】
【技術分野】
【０００１】
本発明は、表示装置に関するものである。
【背景技術】
【０００２】
タッチパネルを備えたディスプレイ端末が知られている（例えば、特許文献１参照）。このディスプレイ端末においては、所定の位置を一定時間以上タッチする長押し操作によりディスプレイに表示された画像の縮小表示を行っている。
【先行技術文献】
【特許文献】
【０００３】
【特許文献１】特開２０１１−２２８５１号公報
【発明の概要】
【発明が解決しようとする課題】
【０００４】
しかし、このディスプレイ端末においてディスプレイに表示された画像に対する処理等の機能を実行するためには、さらに複数のプロセスが必要であった。
【０００５】
本発明の目的は、表示中の画像に対して適用可能な機能を直感的かつ短いプロセスで実行することができる表示装置を提供することである。
【課題を解決するための手段】
【０００６】
本発明の表示装置は、画像を表示する表示部と、前記表示部に積層して配置されたタッチパネルと、前記タッチパネルを用いた操作を検出する検出部と、前記検出部により所定の操作が検出された場合に、前記画像が指定された旨及び前記画像に対して適用可能な機能を示すアイコンを前記表示部に表示させる表示制御部とを備え、前記表示制御部は、前記検出部により前記所定の操作が検出された場合、前記所定の操作が検出された領域に基づいて前記画像を所定のサイズに縮小して表示させると共に、前記所定の操作が検出された領域に基づいて前記アイコンを表示させ、前記アイコンの選択操作が行われると、前記画像に対して選択されたアイコンが示す機能を適用した場合のシミュレーション画像を、縮小された前記画像が表示されていない領域に表示させることを特徴とする。
【発明の効果】
【０００７】
本発明に係る表示装置によれば、表示中の画像に対して適用可能な機能を直感的かつ短いプロセスで実行することができる。
【図面の簡単な説明】
【０００８】
【図１】実施の形態に係るカメラのシステム構成を示すブロック図である。
【図２】実施の形態に係るカメラのアイコンの表示処理及びアイコンが示す機能の実行処理を示すフローチャートである。
【図３】実施の形態に係るカメラのＬＣＤ表示部におけるタッチパネルを用いた操作を示す図である。
【図４】実施の形態に係るカメラのＬＣＤ表示部におけるタッチパネルを用いた操作を示す図である。
【図５】実施の形態に係るカメラのＬＣＤ表示部におけるタッチパネルを用いた操作を示す図である。
【発明を実施するための形態】
【０００９】
以下、本発明の実施の形態に係る表示装置についてカメラを例に説明する。図１は、実施の形態に係るカメラのシステム構成を示すブロック図である。図１に示すように、カメラ２は、マイクロプロセッサ等により構成され、カメラ２の各部を統括的に制御するＣＰＵ４を備えている。ＣＰＵ４はバス６に接続され、バス６には、ＣＰＵ４が実行するプログラム等を記憶するＲＯＭ８、動作させるプログラムや後述する記録媒体２４から読み込んだ撮影画像データ等を一時的に記憶するＲＡＭ１０、撮影画像やスルー画像等を表示するＬＣＤ表示部１２の表示制御を行う表示制御部１４、操作部１８、ＬＣＤ表示部１２に積層して配置されたタッチパネル１６に対するユーザの接触操作を検出する検出部２０、バッファメモリ２２、記録媒体２４への撮影画像データ、お気に入りの撮影画像を示すリスト等の記録、読み出しの制御を行う記録Ｉ／Ｆ２６、Ｗｉ−Ｆｉ等の通信規格により外部装置またはサーバに対して画像データ等を転送する通信部２７が接続されている。ここで、操作部１８は、カメラ２の電源をオン／オフするための電源スイッチ、静止画像または動画像の撮影指示を行うためのレリーズボタン、ＬＣＤ表示部１２にメニュー等を表示させるためのメニューボタン、記録媒体２４に記録された撮影画像データをＬＣＤ表示部１２に表示させるための再生ボタン等を含んで構成されている。
【００１０】
また、撮像素子２８から出力される撮像信号は、信号処理部３０においてアナログ信号からデジタル信号に変換され、ＣＰＵ４に対して出力される。ＣＰＵ４は、信号処理部３０から出力されるデジタル信号の画像データに対してホワイトバランス調整、色補正、階調補正等の画像処理を行い、バッファメモリ２２に一時的に記憶させる。また、ＣＰＵ４は、ＬＣＤ表示部１２において表示されるスルー画像データを生成する。ここで、撮像素子２８は、ＣＣＤまたはＣＭＯＳ等により構成され、図示しない撮影レンズを介した被写体からの光を撮像する。
【００１１】
次に、図２に示すフローチャートを参照して、実施の形態に係るカメラのアイコンの表示処理及びアイコンが示す機能の実行処理について説明する。操作部１８の再生ボタンが操作されると、図３に示すようにＣＰＵ４は表示制御部１４を制御して、記録媒体２４に記録された撮影画像データのうち、１つの撮影画像データに基づく撮影画像をＬＣＤ表示部１２に一画像再生させる。即ち、ＣＰＵ４は、ＬＣＤ表示部１２の表示領域の略全面に１枚の撮影画像３２を表示させる。なお、撮影画像としては静止画像であっても動画像であってもよい。
【００１２】
一画像再生が行われた状態において、ＣＰＵ４は、検出部２０によりタッチパネル１６を用いた操作が検出されたか否かを判断する（ステップＳ１）。操作が検出されない場合には、ＣＰＵ４は検出部２０によりタッチパネル１６を用いた操作が検出されるまで待機する。
【００１３】
操作が検出された場合には、ＣＰＵ４は検出部２０により長押し操作が検出されたか否かを判断する（ステップＳ２）。ここで、検出部２０は、５５０ｍｓ等の所定時間以上ユーザの指３３がタッチパネル１６の略一定の位置に接触した状態を検出すると、長押し操作であることを検出する。
【００１４】
一方、検出部２０によりドラッグ（スライド）操作、ダブルタップ操作などの他の操作が検出された場合には、ＣＰＵ４は図２のフローチャートに示す処理を終了する。例えば、ユーザの指３３が所定時間内に所定量以上移動した場合には、検出部２０はドラッグ（スライド）操作として検出し、ＣＰＵ４は図２のフローチャートに示す処理を終了すると共に、表示制御部１４を制御してスライドの方向に応じて次の撮影画像または前の撮影画像をＬＣＤ表示部１２に表示させる。また、タッチパネル１６の所定の位置に対する１回目のタップから所定時間内に２回目のタップを受け付けた場合には、検出部２０はダブルタップ操作として検出し、ＣＰＵ４は図２のフローチャートに示す処理を終了すると共に、表示制御部１４を制御してダブルタップ操作を検出した位置に応じて撮影画像３２を拡大して表示させる。
【００１５】
長押し操作が検出された場合には、ＣＰＵ４は、図４に示すように検出部２０により長押し操作が検出された領域３４に撮影画像３２を縮小して表示させる（ステップＳ３）。本実施の形態において、検出部２０はＬＣＤ表示部１２の表示領域を４分割して検出する。例えば、タッチパネル１６において長押しが検出された領域がＬＣＤ表示部１２の左下に相当する領域である場合には、撮影画像データをＬＣＤ表示部１２の左下１／４の領域３４（図３参照）に縮小して表示させる。また、タッチパネル１６において長押しが検出された領域がＬＣＤ表示部１２の左上、右上、右下に相当する領域である場合には、撮影画像データをＬＣＤ表示部１２のそれぞれ左上１／４の領域３６、右上１／４の領域３８、右下１／４の領域４０（図３参照）に縮小して表示させる。
【００１６】
ここで、撮影画像を縮小して表示させる際には、ＣＰＵ４は表示制御部１４を制御して、アニメーション効果等を用いることによりＬＣＤ表示部１２に表示されている撮影画像を徐々に縮小させる。なお、ＣＰＵ４は撮影画像を段階的に縮小させてもよいし、連続的に縮小させてもよい。
【００１７】
また、撮影画像３２の表示を縮小させると、図４に示すようにＣＰＵ４は撮影画像３２に対して適用可能な機能を示すアイコン４２，４４を表示させる（ステップＳ４）。ここで、ＣＰＵ４は、アイコン４２，４４を縮小された撮影画像３２が表示されていない領域に表示させる。即ち、ＣＰＵ４は長押しが検出された領域以外の領域にアイコン４２，４４を表示させる。
【００１８】
また、アイコンが示す機能としては、表示されている撮影画像３２をお気に入りに追加する機能、表示されている撮影画像３２の撮影画像データを削除する機能、表示されている撮影画像３２に対してフィルター効果等の画像処理を行う機能等が挙げられる。また、ＣＰＵ４は表示制御部１４を制御して、通信部２７を介して表示されている撮影画像３２の撮影画像データを外部装置やサーバに対して転送するためのアイコンを表示させてもよい。また、表示されている撮影画像に応じたアイコンを表示させてもよく、例えば、撮影画像３２が既にお気に入りに追加されている場合には、ＣＰＵ４はお気に入りからの削除を示すアイコンを表示させ、撮影画像３２がお気に入りに追加されていない場合には、ＣＰＵ４はお気に入りへの追加を示すアイコンを表示させる。
【００１９】
次に、ＣＰＵ４は、タッチパネル１６を用いたアイコンの選択操作が検出部２０により検出されたか否かを判断する（ステップＳ５）。ユーザの指３３が撮影画像３２に接触したままアイコン４２またはアイコン４４に対して移動するドラッグ操作が行われ、図５に示すように撮影画像３２がアイコン４２またはアイコン４４の表示領域に掛かったことが検出部２０により検出されると、ＣＰＵ４は、アイコンの選択操作がされたと判断する。あるいは、ユーザの指３３のアイコンへのタッチが検出部２０により検出されると、ＣＰＵ４はアイコンの選択操作がされたと判断する。また、図５に示すようにアイコンの選択操作が行われた場合には、ＣＰＵ４は表示制御部１４を制御して、選択されたアイコン４４の色を変更させるなど、選択された旨を表示させる。
【００２０】
また、アイコンの選択操作が行われた場合に、ＣＰＵ４は表示制御部１４を制御して、表示されている撮影画像３２に対して選択されたアイコンが示す機能を適用した場合のシミュレーション画像を撮影画像３２及びアイコン４２，４４が表示されていない領域（非表示領域）に表示させてもよい。例えば、選択されたアイコンがフィルター効果を施す機能を示すアイコンである場合には、ＣＰＵ４は表示制御部１４を制御して、撮影画像３２に対してフィルター効果を施したシミュレーション画像を非表示領域に表示させる。
【００２１】
次に、ＣＰＵ４は、選択されたアイコンが示す機能を実行するか否かを判断する（ステップＳ６）。ここで、ドラッグ操作による選択操作が行われた場合には、ＣＰＵ４は、図５に示すようにアイコン４２またはアイコン４４が選択された状態で撮影画像３２からユーザの指３３が離れたこと、即ち、撮影画像３２からのタッチオフが検出部２０により検出されると、アイコンが示す機能の実行指示が行われたと判断する。即ち、ステップＳ５及びＳ６において撮影画像３２をアイコン４２またはアイコン４４へドラッグアンドドロップする操作が検出部２０により検出されると、ＣＰＵ４はアイコンが示す機能の実行指示が行われたと判断する。
【００２２】
あるいは、アイコン４２またはアイコン４４へのタッチ操作による選択操作が行われた場合には、ＣＰＵ４は、アイコン４２またはアイコン４４が選択された状態でアイコン４２またはアイコン４４からユーザの指３３が離れたこと、即ちアイコン４２またはアイコン４４からのタッチオフが検出部２０により検出されると、アイコンが示す機能の実行指示が行われたと判断する。即ち、ステップＳ５及びＳ６においてアイコン４２またはアイコン４４へのシングルタップ操作が検出部２０により検出されると、ＣＰＵ４はアイコンが示す機能の実行指示が行われたと判断する。
【００２３】
アイコンが示す機能の実行指示が行われると、ＣＰＵ４はアイコンの示す機能を実行する（ステップＳ７）。例えば、実行指示の行われたアイコンが示す機能が、撮影画像３２をお気に入りに追加する機能である場合には、ＣＰＵ４は記録Ｉ／Ｆ２６を制御して、撮影画像３２をお気に入りの撮影画像を示すリストに追加して記録媒体２４に記録する。なお、撮影画像を示すリストには、例えば、お気に入りの設定がされている撮影画像のファイル名、保存先等が記録されている。
【００２４】
また、実行指示の行われたアイコンが示す機能が、撮影画像３２の撮影画像データを削除する機能である場合には、ＣＰＵ４は記録Ｉ／Ｆ２６を制御して記録媒体２４に記録されている撮影画像３２の撮影画像データを削除する。また、実行指示の行われたアイコンが示す機能が、撮影画像３２に対してフィルター効果等の画像処理を行う機能である場合には、ＣＰＵ４は撮影画像３２に対して画像処理を行い、記録Ｉ／Ｆ２６を制御して記録媒体２４に画像処理を行った画像データを記録させる。なお、画像処理を行った画像データを撮影画像３２の撮影画像データに代えて記録媒体２４に記録させてもよいし、撮影画像３２の撮影画像データに加えて、新たに画像処理を行った画像データを記録媒体２４に記録させてもよい。
【００２５】
また、実行指示の行われたアイコンが示す機能が、撮影画像３２の撮影画像データを外部装置やサーバに対して転送する機能である場合には、ＣＰＵ４は通信部２７を介して撮影画像３２の撮影画像データを外部装置またはサーバに対して転送させる。ここで、転送先の外部装置やサーバは予め設定されていてもよいし、実行指示が行われた後に転送先を指定する構成としてもよい。また、撮影画像３２の撮影画像データを転送する場合には、ＣＰＵ４は記録媒体２４から撮影画像３２の撮影画像データを削除させてもよいし、記録させたままとしてもよい。また、ＣＰＵ４は、撮影画像３２の撮影画像データを記録媒体２４から削除させるか否かを記録媒体２４の残容量等に応じて判断してもよい。
【００２６】
また、実行指示の行われたアイコンが示す機能が、撮影画像３２をお気に入りから削除する機能である場合には、ＣＰＵ４は記録Ｉ／Ｆ２６を制御して、記録媒体２４に記録されているお気に入りの撮影画像を示すリストから撮影画像３２を削除させる。
【００２７】
また、撮影画像３２のアイコン４２またはアイコン４４に対するドラッグ操作による選択操作が行われた後に（ステップＳ５：Ｙｅｓ）、さらにドラッグ操作が行われ撮影画像３２がアイコン４２及び４４の表示領域から離れた場合には、アイコン４２及びアイコン４４が非選択とされた状態となる。この状態で撮影画像３２からのタッチオフが検出部２０により検出されると（ステップＳ６：Ｎｏ）、ＣＰＵ４はアイコンの選択がキャンセルされたと判断し、ステップＳ５に示す処理に戻る。
【００２８】
また、ステップＳ５において撮影画像３２のドラッグ操作が行われた場合であって、アイコン４２またはアイコン４４の選択操作が行われずに、撮影画像３２からのタッチオフが検出部２０により検出された場合にも、ステップＳ６でアイコンの非選択状態でタッチオフが行われた場合の処理と同様の処理を行う。従って、この場合にＣＰＵ４は、アイコンの選択がキャンセルされたと判断し、ステップＳ５に示す処理に戻る。
【００２９】
あるいは、アイコン４２またはアイコン４４へのタッチ操作による選択操作が行われた後に（ステップＳ５：Ｙｅｓ）、ユーザの指３３がタッチパネル１６に接触したままアイコン４２またはアイコン４４が表示されていない領域に移動した場合には、アイコン４２及びアイコン４４が非選択とされた状態となる。この状態でタッチパネル１６からのタッチオフが検出部２０により検出されると、ＣＰＵ４は、アイコンの選択がキャンセルされたと判断し、ステップＳ５に示す処理に戻る。
【００３０】
ステップＳ５においてＣＰＵ４は、撮影画像３２、アイコン４２及びアイコン４４が表示されていない領域に対するユーザの指３３のタッチが検出部２０により検出されると、アイコンの表示処理についてのキャンセル操作がされたと判断し、撮影画像３２を一画面表示に戻して表示させ（ステップＳ８）、処理を終了する。なお、撮影画像３２を一画面表示に戻す際には、ＣＰＵ４は表示制御部１４を制御して、上述のアニメーション効果等を用いることによりＬＣＤ表示部１２における表示サイズを徐々に拡大させてもよい。
【００３１】
本実施の形態に係るカメラによれば、表示中の画像に対して適用可能な機能を直感的かつ短いプロセスで実行することができる。即ち、ワンタッチで表示中の画像を選択すると共に、選択された画像に対して適用可能な機能を示すアイコンを表示させることができる。さらに、選択された画像をアイコンに対してドラッグアンドドロップする操作、または、アイコンに対するタップ操作により、アイコンが示す機能を実行することができるため、機能を短いプロセスで実行することができる。
【００３２】
なお、上述の実施の形態において、撮影画像３２の一画像再生時にタッチパネル１６を用いた長押し操作が行われると、撮影画像３２に対して適用可能な機能を示すアイコンを表示させる構成として説明したが、撮影モードにおいてＬＣＤ表示部１２の表示領域の略全面にスルー画像が表示されている場合にも、図２に示すフローチャートと同様の処理を適用することができる。
【００３３】
スルー画像に対して図２に示すフローチャートと同様の処理を適用する場合に、ステップＳ４において表示させるアイコンが示す機能としては、レリーズボタンを用いた撮影指示が行われた際のフラッシュの点灯・消灯の設定を行う機能、その他シャッタスピード、絞り、ＩＳＯ感度等の撮影条件を設定する機能が挙げられる。また、図２のステップＳ７において、ＣＰＵ４は、撮影時のフラッシュの点灯・消灯の設定、撮影条件の設定等を行う。また、図２のステップＳ８において、ＣＰＵ４は表示制御部１４を制御して、ＬＣＤ表示部１２の略全面にスルー画像を表示させた状態に戻す処理を行う。また、図２のステップＳ２において、例えばシングルタップが検出部２０により検出された場合には、ＣＰＵ４は図２のフローチャートに示す処理を終了すると共に、撮影指示を受け付け、撮像素子２８による画像の撮影を行う。
【００３４】
また、上述の実施の形態においては、一画像再生時に長押し操作が行われると、撮影画像を縮小表示させアイコンを表示させる構成としたが、サムネイル画像が表示されている時に長押し操作が行われた場合にもアイコンを表示させてもよい。この場合には、ＬＣＤ表示部１２に撮影画像のサムネイル画像が複数表示された状態で長押し操作が行われると、ＣＰＵ４は検出部２０により長押し操作が検出された領域に表示されているサムネイル画像が選択されたと判断する。
【００３５】
サムネイル画像が選択されると、ＣＰＵ４は表示制御部１４を制御して、選択されたサムネイル画像が表示された領域以外の領域に、選択されたサムネイル画像の撮影画像に対して適用可能な機能を示すアイコンを表示させる。なお、サムネイル画像の表示サイズが小さい場合等には、ＣＰＵ４は選択されたサムネイル画像を拡大して表示させてもよい。
【００３６】
また、ＣＰＵ４は表示制御部１４を制御して、選択されなかったサムネイル画像を半透過表示させるなど、選択されたサムネイル画像を識別可能に表示させてもよい。また、この場合において、アイコンの選択処理、アイコンの示す機能の実行処理は上述の実施の形態における処理と同様である。
【００３７】
また、上述の実施の形態において、タッチパネル１６における操作をユーザの指３３により行う構成として説明したが、タッチペン等を用いてタッチパネル１６における操作を行う構成であってもよい。
【００３８】
また、上述の実施の形態において表示装置としてカメラを例に説明したが、表示部及び表示部に積層された配置されたタッチパネルを備える表示装置であればカメラに限定されず、例えば、スマートフォン、タブレットＰＣ等においても上述の処理は適用可能である。
【００３９】
また、上述の実施の形態において、検出部２０により長押し操作が検出されると撮影画像３２を縮小表示させ、撮影画像３２に適用可能な機能を示すアイコンを表示させる構成としたが、検出部２０によりダブルタップ、シングルタップ、ドラッグ（スライド）操作等が検出された場合に撮影画像３２を縮小表示させ、撮影画像３２に適用可能な機能を示すアイコンを表示させる構成としてもよい。
【００４０】
また、上述の実施の形態において、検出部２０により長押し操作が検出されると撮影画像を１／４に縮小させる構成としたが、縮小率はこれに限定されず、任意の倍率で縮小することができる。
【００４１】
また、上述の実施の形態において、検出部２０により長押し操作が検出されると撮影画像３２に適用可能な機能を示すアイコンを２つ表示させる構成としたが、表示させるアイコンの数はこれに限定されず、任意の数のアイコンを表示させることができる。
【００４２】
また、上述の実施の形態において、検出部２０により長押し操作が検出された領域に撮影画像３２を縮小して表示させ、それ以外の領域に撮影画像３２に適用可能な機能を示すアイコンを表示させる構成としたが、長押しが検出された領域以外の領域に撮影画像３２を縮小させる構成としてもよいし、また、長押しが検出された領域にアイコンを表示させる構成としてもよい。
【符号の説明】
【００４３】
２…カメラ、４…ＣＰＵ、１２…ＬＣＤ表示部、１４…表示制御部、１６…タッチパネル、２０…検出部
【図１】
0006003227.tif 000002
【図２】
0006003227.tif 000003
【図３】
0006003227.tif 000004
【図４】
0006003227.tif 000005
【図５】
0006003227.tif 000006